(57)【要約】 【課題】  回転中の光ディスクがその周囲の気体から押上げ力および押下げ力を受けることが原因で光ディスクを回転させる回転手段にかかる負荷を小さくすることができる光ディスク装置を提供する。【解決手段】  ケーシング２は、少なくとも光ディスク４を収容する収容空間８が形成され、この収容空間８を密閉可能に構成される。ケーシング２の収容空間８は、光ディスク４が収容された状態で密閉され、減圧手段９によって減圧される。こうして減圧された収容空間８において、回転手段６によって光ディスク４が回転される。このときに、光ピックアップ７によって、光ディスク４の信号記録面３から信号が読取られまたは光ディスク４の信号記録面３へ信号が書込まれる。【選択図】      図１
2006107603.tif 000002
【特許請求の範囲】
【請求項１】
信号記録面を有する光ディスクを回転させる回転手段と、
光ディスクの信号記録面から信号を読取りまたは光ディスクの信号記録面へ信号を書込む光ピックアップと、
少なくとも光ディスクを収容する収容空間が形成され、この収容空間を密閉可能に構成されるケーシングと、
ケーシングの収容空間を減圧する減圧手段とを含むことを特徴とする光ディスク装置。
【請求項２】
前記減圧手段は、ケーシングの収容空間に連通する内腔空間が形成され、この内腔空間の体積を可変に構成される容積可変部を含むことを特徴とする請求項１記載の光ディスク装置。
【請求項３】
前記減圧手段は、ケーシングの収容空間に連通する内腔空間が形成され、かつ、伸縮可能に構成され、伸縮によって前記内腔空間の体積が変化するベローズを含むことを特徴とする請求項１記載の光ディスク装置。
【請求項４】
ケーシングの収容空間に乾燥気体を供給する供給手段をさらに含むことを特徴とする請求項１〜３のいずれか１つに記載の光ディスク装置。
【請求項５】
信号記録面を有する光ディスクを、この光ディスクの半径方向の内方端部から外方端部にわたって支持する平坦な支持面を有し、この支持面に光ディスクを真空吸着することによって、光ディスクを保持する保持体と、
保持体を回転させる保持体回転手段と、
光ディスクの信号記録面から信号を読取りまたは光ディスクの信号記録面へ信号を書込む光ピックアップとを含むことを特徴とする光ディスク装置。
【請求項６】
前記保持体は、前記支持面に設けられて光ディスクが載置されるシート部材を含み、このシート部材は、可撓性および弾発性を有し、前記支持面に臨む面からその反対側の面にわたって貫通して吸引力を導く複数の吸引孔が形成されることを特徴とする請求項５記載の光ディスク装置。
【発明の詳細な説明】
【技術分野】
【０００１】
本発明は、信号記録面を有する光ディスクを回転させながら、光ディスクの信号記録面から信号を読取りまたは光ディスクの信号記録面へ信号を書込む光ディスク装置に関する。
【背景技術】
【０００２】
従来の技術として、ＣＤプレーヤなどに用いられる光ディスク装置が周知である。この従来の技術では、モータによって回転されるターンテーブル上に、光ディスクが載置されてチャッキングされる。この光ディスクを、モータによってターンテーブルとともに回転させながら、光ピックアップによって、その光ディスクの信号記録面から信号を読取る。
【０００３】
特許文献１には、前記従来の技術に類似する他の従来の技術が開示される。この従来の技術は、光ディスクの原盤の露光に用いられる光記録装置に関する。この従来の技術では、フォトレジストが塗布されたガラス原盤を回転させながら、原盤露光光学系をガラス原盤の半径方向に移動させる。これによってガラス原盤上に、螺旋状のピット列が露光される。
【０００４】
【特許文献１】特開２０００−１２３３９７号公報
【発明の開示】
【発明が解決しようとする課題】
【０００５】
前記従来の技術では、信号を読取る際に、光ディスクが高速で回転される。このときに、反りがある光ディスクは、その周囲の気体から、回転軸線の方向の押上げ力および押下げ力を受ける。これによって光ディスクが面振れ（回転軸線の方向の揺動現象）を起こす。このため、光ディスクが装着されたターンテーブルに連結されるモータの回転軸が、その軸線に垂直な方向にぶれる。したがってモータに負荷がかかるという問題がある。
【０００６】
前記他の従来の技術でも同様に、ガラス原盤を回転させる回転手段に負荷がかかるという問題がある。
【０００７】
本発明の目的は、回転中の光ディスクがその周囲の気体から押上げ力および押下げ力を受けることが原因で光ディスクを回転させる回転手段にかかる負荷を小さくすることができる光ディスク装置を提供することである。
【課題を解決するための手段】
【０００８】
本発明は、信号記録面を有する光ディスクを回転させる回転手段と、
光ディスクの信号記録面から信号を読取りまたは光ディスクの信号記録面へ信号を書込む光ピックアップと、
少なくとも光ディスクを収容する収容空間が形成され、この収容空間を密閉可能に構成されるケーシングと、
ケーシングの収容空間を減圧する減圧手段とを含むことを特徴とする光ディスク装置である。
【０００９】
また本発明は、前記減圧手段は、ケーシングの収容空間に連通する内腔空間が形成され、この内腔空間の体積を可変に構成される容積可変部を含むことを特徴とする。
【００１０】
また本発明は、前記減圧手段は、ケーシングの収容空間に連通する内腔空間が形成され、かつ、伸縮可能に構成され、伸縮によって前記内腔空間の体積が変化するベローズを含むことを特徴とする。
【００１１】
また本発明は、ケーシングの収容空間に乾燥気体を供給する供給手段をさらに含むことを特徴とする。
【００１２】
また本発明は、信号記録面を有する光ディスクを、この光ディスクの半径方向の内方端部から外方端部にわたって支持する平坦な支持面を有し、この支持面に光ディスクを真空吸着することによって、光ディスクを保持する保持体と、
保持体を回転させる保持体回転手段と、
光ディスクの信号記録面から信号を読取りまたは光ディスクの信号記録面へ信号を書込む光ピックアップとを含むことを特徴とする光ディスク装置である。
【００１３】
また本発明は、前記保持体は、前記支持面に設けられて光ディスクが載置されるシート部材を含み、このシート部材は、可撓性および弾発性を有し、前記支持面に臨む面からその反対側の面にわたって貫通して吸引力を導く複数の吸引孔が形成されることを特徴とする。
【発明の効果】
【００１４】
本発明によれば、光ディスクは、ケーシングの収容空間に収容される。この収容空間は、光ディスクが収容された状態で密閉され、減圧手段によって減圧される。こうして減圧された収容空間において、回転手段によって光ディスクが回転される。このときに、光ピックアップによって、光ディスクの信号記録面から信号が読取られまたは光ディスクの信号記録面へ信号が書込まれる。
【００１５】
前述のように収容空間は、減圧手段によって減圧されるので、収容空間内の気体の密度が低下する。このように密度の低下した気体中において、光ディスクが回転される。したがって光ディスクの反りに起因して回転中の光ディスクに作用する回転軸線の方向の押上げ力および押下げ力が小さくなる。これによって、回転手段にかかる負荷を小さくすることができる。
【００１６】
また本発明によれば、容積可変部には、ケーシングの収容空間に連通する内腔空間が形成される。この内腔空間の体積を大きくすると、収容空間の体積と内腔空間の体積との和が大きくなる。したがって収容空間が密閉された状態で、内腔空間の体積を大きくすることによって、収容空間が減圧される。このような容積可変部が用いられるので、真空ポンプが不要であり、安価かつ小形の光ディスク装置を実現することができる。
【００１７】
また本発明によれば、ベローズには、ケーシングの収容空間に連通する内腔空間が形成される。このベローズは、伸縮によって、内腔空間の体積が変化する。内腔空間の体積が変化すると、収容空間の体積と内腔空間の体積との和が変化する。したがって収容空間が密閉された状態で、ベローズを伸縮させることによって、収容空間の圧力状態を変化させることができる。このようなベローズが用いられるので、収容空間を容易に減圧することができ、また真空ポンプが不要であり、安価かつ小形の光ディスク装置を実現することができる。
【００１８】
また本発明によれば、ケーシングの収容空間が減圧される前に、供給手段によって収容空間に乾燥気体が供給される。こうして収容空間内に乾燥気体が充満した状態で、減圧手段によって収容空間が減圧される。これによって、収容空間が減圧されたときに、光ディスクの信号記録面に水滴が付着することが防がれる。したがって光ピックアップによる信号の読取りまたは書込み時のエラーを防ぐことができる。
【００１９】
また本発明によれば、保持体は、平坦な支持面を有し、この支持面に光ディスクを真空吸着することによって、光ディスクを保持する。この保持体は、保持体回転手段によって回転され、これによって光ディスクが回転される。このときに、光ピックアップによって、光ディスクの信号記録面から信号が読取られまたは光ディスクの信号記録面へ信号が書込まれる。
【００２０】
前記支持面は、光ディスクを、この光ディスクの半径方向の内方端部から外方端部にわたって支持する。このような支持面に光ディスクが真空吸着されるので、保持体と光ディスクとが一体化される。したがって回転中の光ディスクの面振れを防ぐことができる。これによって、保持体回転手段にかかる負荷を小さくすることができるとともに、光ピックアップによる信号の読取り精度および信号の書込み精度を向上させることができる。
【００２１】
また本発明によれば、可撓性および弾発性を有するシート部材が、支持面に設けられ、このシート部材に光ディスクが載置される。シート部材には、支持面に臨む面からその反対側の面にわたって貫通して吸引力を導く複数の吸引孔が形成される。したがって、支持面に光ディスクを確実に真空吸着することができるとともに、光ディスクが支持面に擦られて光ディスクに傷がつくことを防ぐことができる。
【発明を実施するための最良の形態】
【００２２】
図１は、本発明の実施の一形態の光ディスク装置１の構成を、この光ディスク装置１のケーシング２の一部を切欠いて簡略化して示す正面図である。光ディスク装置１は、信号記録面３を有する光ディスク４を所定の回転速度で回転させながら、光ディスク４の信号記録面３から信号を読取りまたは光ディスク４の信号記録面３へ信号を書込む。前記光ディスク４は、ＣＤ（Compact Disc）およびＤＶＤ（Digital Versatile Disc）などである。前記所定の回転速度は、特に限定されないけれども、本実施の形態の光ディスク装置１は、光ディスク４を５０００ｍｉｎ−１程度で高速回転させる場合に、好適に用いることができる。
【００２３】
光ディスク装置１は、光ディスク４を回転させる回転手段６と、光ディスク４の信号記録面３から信号を読取りまたは光ディスク４の信号記録面３へ信号を書込む光ピックアップ７と、光ディスク４および回転手段６を収容する収容空間８が形成され、この収容空間８を密閉可能に構成されるケーシング２と、ケーシング２の収容空間８を減圧する減圧手段９とを含む。
【００２４】
ケーシング２は、基台に固定される。光ディスク４および回転手段６は、ケーシング２内に配置される。光ピックアップ７および減圧手段９は、ケーシング２外に配置される。
【００２５】
光ピックアップ７は、光ディスク４の信号記録面３から信号を読取りまたは光ディスク４の信号記録面３へ信号を書込むために、光ディスク４の信号記録面３にレーザビームを照射するとともに、光ディスク４の信号記録面３で反射したレーザビームを受光する。レーザビームは、光ディスク４と光ピックアップ７との間に介在するケーシング２の一部を透過する。逆に言えば、少なくとも前記ケーシング２の一部は、レーザビームが透過する材料から成る。
【００２６】
回転手段６は、モータ１１と、光ディスク４を支持する支持部材１２と、光ディスク４を支持部材１２に押え付ける押え部材１３とを含む。
【００２７】
モータ１１は、たとえばスピンドルモータによって実現される。モータ１１は、回転軸１４を有し、この回転軸１４が軸線Ｌ１まわりに回転する。モータ１１は、一対の軸受部１５をさらに有し、これらの軸受部１５が前記回転軸１４を軸線Ｌ１まわりに回転可能に支持する。
【００２８】
支持部材１２は、モータ１１の回転軸１４の一端部に固定される。支持部材１２は、光ディスク４のセンターホールに嵌合する嵌合部を有する。支持部材１２は、光ディスク４の半径方向の内方端部４ａを支持する。この状態で、光ディスク４の軸線は、回転軸１４の軸線Ｌ１と一致する。
【００２９】
押え部材１３は、光ディスク４に関してモータ１１とは反対側から、光ディスク４を支持部材１２に押え付ける。押え部材１３は、光ディスク４を支持部材１２に押え付ける押え位置１３ａと、支持部材１２から離反した離反位置１３ｂとにわたって変位可能である。押え部材１３が押え位置１３ａにあるとき、押え部材１３はモータ１１の回転軸１４の軸線Ｌ１まわりに回転可能である。押え部材１３が離反位置１３ｂにあるとき、光ディスク４は支持部材１２に対して着脱することができる。
【００３０】
図２は、ケーシング２に対するモータ１１の設置構造を示す断面図である。モータ１１は、複数のボルト部材１８によって、ケーシング２に固定される。
【００３１】
詳細に述べると、モータ１１のブラケットには、フランジ１９が設けられる。フランジ１９は、前記ブラケットの端部であって、モータ１１の回転軸１４が突出する側とは反対側の端部から、モータ１１の回転軸１４の半径方向に突出する。フランジ１９には、複数の貫通孔が、モータ１１の回転軸１４の周方向に間隔をあけて形成される。各ボルト部材１８のねじ部は、フランジ１９の各貫通孔をそれぞれ挿通して、ケーシング２に形成される複数のねじ孔にそれぞれ螺着される。
【００３２】
図３は、搬送用の開口部２１を示す断面図である。ケーシング２は、搬送用の開口部２１を有する。この搬送用の開口部２１を介して、収容空間８へ光ディスク４を搬入することができ、かつ、収容空間８から光ディスク４を搬出することができる。搬送用の開口部２１は、モータ１１の回転軸１４の軸線Ｌ１方向に関して、支持部材１２とほぼ同じ位置にあり、モータ１１の回転軸１４の半径方向外方に臨む。
【００３３】
搬送用の開口部２１は、蓋部材２２によって塞がれる。蓋部材２２は、搬送用の開口部２１を塞ぐ閉塞位置２２ａと、搬送用の開口部２１を開放する開放位置２２ｂとにわたって変位可能である。蓋部材２２が閉塞位置２２ａにあるとき、蓋部材２２と搬送用の開口部２１との間にはシール部材２３が介在し、これによって蓋部材２２と搬送用の開口部２１との間から気体が漏れることを防ぐことができる。蓋部材２２が開放位置２２ｂにあるとき、光ディスク４を、収容空間８へ搬入することができ、かつ、収容空間８から搬出することができる。
【００３４】
図４は、減圧手段９の構成を示す部分断面図である。減圧手段９は、中空筒状のベローズ２５と、ベローズ２５を伸縮駆動する伸縮駆動部２６とを含む。
【００３５】
ケーシング２は、減圧用の開口部２７を有する。減圧用の開口部２７は、モータ１１の近傍に位置し、モータ１１の回転軸１４の半径方向外方に臨む。減圧用の開口部２７には、複数のボルト部材２８によって、ベローズ２５が固定される。
【００３６】
詳細に述べると、ベローズ２５には、フランジ２９が設けられる。フランジ２９は、ベローズ２５の一端部であって、減圧用の開口部２７側の一端部から、ベローズ２５の軸線Ｌ２に垂直な方向に突出する。フランジ２９には、複数の貫通孔が、ベローズ２５の軸線Ｌ２まわりの周方向に間隔をあけて形成される。各ボルト部材２８のねじ部は、フランジの各貫通孔をそれぞれ挿通して、減圧用の開口部２７に形成される複数のねじ孔にそれぞれ螺着される。ベローズ２５と減圧用の開口部２７との間にはシール部材３０が介在し、これによってベローズ２５と減圧用の開口部２７との間から気体が漏れることを防ぐことができる。
【００３７】
ベローズ２５には、ケーシング２の収容空間８に連通する内腔空間３１が形成される。ベローズ２５は、その軸線Ｌ２方向に伸縮可能に構成され、伸縮によって内腔空間３１の体積Ｖ１が変化する。内腔空間３１の体積Ｖ１が変化すると、収容空間８の体積Ｖ２と内腔空間３１の体積Ｖ１との和Ｖ３（Ｖ３＝Ｖ２＋Ｖ１）が変化する。したがって収容空間８が密閉された状態で、ベローズ２５を伸縮させることによって、収容空間８の圧力状態を変化させることができる。このようなベローズ２５が用いられるので、収容空間８を容易に減圧することができ、また真空ポンプが不要であり、安価かつ小形の光ディスク装置１を実現することができる。
【００３８】
具体的には、ベローズ２５を伸長することによって、内腔空間３１の体積が大きくなる。内腔空間３１の体積が大きくなると、内腔空間３１の体積と収容空間８の体積との和が大きくなる。したがってケーシング２が密閉状態にあるときに、ベローズ２５を伸長することによって、内腔空間３１および収容空間８を減圧することができる。
【００３９】
またベローズ２５を縮退することによって、内腔空間３１の体積が小さくなる。内腔空間３１の体積が小さくなると、内腔空間３１の体積と収容空間８の体積との和が小さくなる。したがってケーシング２が密閉状態にあるときに、ベローズ２５を縮退することによって、内腔空間３１および収容空間８を増圧することができる。
【００４０】
伸縮駆動部２６は、基部３３と、スライド軸３４とを有する。基部３３は、前記基台に固定される。スライド軸３４は、基部３３に対して、その軸線方向Ａにスライド変位する。スライド軸３４とベローズ２５とは、連結部材３５を介して連結される。スライド軸３４の軸線は、ベローズ２５の軸線Ｌ２と一致する。このような伸縮駆動部２６によって、ベローズ２５を伸縮駆動することができる。
【００４１】
連結部材３５は、円柱状の部材である。連結部材３５には、この連結部材３５の軸線方向に延びる挿入孔と、前記軸線に垂直な方向に延び、挿入孔に連通するねじ孔とが形成される。挿入孔には、伸縮駆動部２６のスライド軸３４の一端部が挿入され、この状態で、ねじ孔に、ボルト部材３６のねじ部が螺着される。これによって、スライド軸３４の一端部と連結部材３５とが固定される。連結部材３５は、ベローズ２５の他端部に、接着または溶接される。
【００４２】
図５は、光ディスク装置１の動作を説明するためのフローチャートである。ステップａ０では、光ディスク装置１の動作が開始される。ステップａ１では、蓋部材２２が閉塞位置２２ａから開放位置２２ｂへ変位される。ステップａ２では、光ディスク４が収容空間８に搬入されて支持部材１２に載置される。ステップａ３では、押え部材１３が離反位置１３ｂから押え位置１３ａへ変位される。ステップａ４では、蓋部材２２が開放位置２２ｂから閉塞位置２２ａへ変位される。ステップａ５では、信号の読取りまたは信号の書込みに関連する読取り／書込み関連動作が行われる。
【００４３】
ステップａ６では、押え部材１３が押え位置１３ａから離反位置１３ｂへ変位される。ステップａ７では、蓋部材２２が閉塞位置２２ａから開放位置２２ｂへ変位される。ステップａ８では、光ディスク４が収容空間８から搬出される。ステップａ９では、蓋部材２２が開放位置２２ｂから閉塞位置２２ａへ変位される。ステップａ１０では、光ディスク４の動作が終了される。
【００４４】
図６は、光ディスク装置１によって行われる読取り／書込み関連動作を説明するためのフローチャートである。ステップｂ０では、読取り／書込み関連動作が開始される。
【００４５】
ステップｂ１では、収容空間８が密閉された状態で、減圧手段９によって、その収容空間８が減圧される。具体的には、伸縮駆動部２６によって、ベローズ２５が伸長され、これによって収容空間８が減圧される。このとき、収容空間８は、約０．５気圧まで減圧される。
【００４６】
ステップｂ２では、回転手段６による光ディスク４の回転が開始される。ステップｂ３では、光ディスク４の回転速度が所定の回転速度になると、光ピックアップ７によって、光ディスク４の信号記録面３から信号が読取られまたは光ディスク４の信号記録面３へ信号が書込まれる。ステップｂ４では、回転手段６による光ディスク４の回転が停止される。
【００４７】
ステップｂ５では、減圧手段９によって、収容空間８が減圧前の圧力状態に戻される。具体的には、伸縮駆動部２６によって、ベローズ２５が伸長前の状態になるまで縮退され、これによって、収容空間８が減圧前の圧力状態に戻される。このとき、収容空間８は１気圧となる。ステップｂ６では、読取り／書込み関連動作が終了される。
【００４８】
図７は、回転中の光ディスク４を示す斜視図である。本実施の形態によれば、収容空間８は、減圧手段９によって減圧されるので、収容空間８内の気体の密度が低下する。このように密度の低下した気体中において、光ディスク４が回転される。したがって光ディスク４の反りに起因して回転中の光ディスク４に作用する回転軸線Ｌ１の方向の押上げ力３８および押下げ力３９が小さくなる。これによって、回転手段６にかかる負荷を小さくすることができる。
【００４９】
詳細に述べると、光ディスク４に反りがある場合、すなわち光ディスク４の一部が、回転軸線Ｌ１に垂直な仮想一平面に対して傾斜する場合、その光ディスク４の一部は、空気抵抗による押上げ力３８および押下げ力３９を受ける。本実施の形態では、収容空間８内の気体の密度を、この収容空間８を減圧することによって低下させ、これによって、空気抵抗を小さくして、回転中の光ディスク４に作用する前記押上げ力３８および押下げ力３９を小さくしている。
【００５０】
このように前記押上げ力３８および押下げ力３９が小さくなるので、光ディスク４を支持する支持部材１２に連結されるモータ１１の回転軸１４に作用するその軸線Ｌ１に垂直な方向の力が小さくなる。これによって、前記回転軸１４から、この回転軸１４を支持する一対の軸受部１５に作用する前記軸線Ｌ１に垂直な方向の力が小さくなる。したがって前記一対の軸受部１５の劣化を防ぐことができ、モータ１１の寿命を延ばすことができる。
【００５１】
またモータ１１は、ケーシング２の収容空間８に配置され、減圧された収容空間８において動作するので、モータ１１の部品の劣化速度が低下する。これによっても、モータ１１の寿命を延ばすことができる。
【００５２】
本実施の形態では、モータ１１の寿命が３０％、向上した。また光ディスク４を回転させるときの騒音も押えられ、特に高速回転時の騒音は２０％、低くなった。
【００５３】
図８は、本発明の実施の他の形態の光ディスク装置４１の構成を、この光ディスク装置４１のケーシング２の一部を切欠いて簡略化して示す正面図である。本実施の形態の光ディスク装置４１は、前述の実施の形態の光ディスク装置１に類似するので、同様の部分には同一の符号を付して説明を省略する。本実施の形態の光ディスク装置４１は、収容空間８に乾燥気体を供給する供給手段４２と、収容空間８から気体を排出する排出手段４３とをさらに含む。
【００５４】
供給手段４２は、気体供給源４５と、供給管４６と、カラム４７と、供給側弁４８とを含む。気体供給源４５からの気体は、空気または窒素ガスである。気体供給源４５は、供給管４６を介して、収容空間８に接続される。供給管４６には、カラム４７が設けられる。カラム４７内には、シリカゲルが充填される。気体供給源４５からの気体は、カラム４７内を通過することによって、相対湿度０〜１１％に調湿された乾燥気体となり、この乾燥気体が、収容空間８に供給される。供給側弁４８は、カラム４７とケーシング２との間に介在する。
【００５５】
排出手段４３は、排出管５０と、排出側弁５１とを含む。排出管５０は、一端部５０ａが収容空間８に接続され、他端部５０ｂが大気開放される。収容空間８からの気体は、排出管５０を介して、大気中に排出される。排出側弁５１は、排出管５０の一端部５０ａと他端部５０ｂとの間に介在する。
【００５６】
本実施の形態でも、前述の実施の形態のように、減圧手段９によって、収容空間８が減圧される。このとき、収容空間８の圧力が低下することによって、結露が生じて、光ディスク４の信号記録面３に水滴が付着する場合がある。光ディスク４の信号記録面３に水滴が付着すると、信号の読取りまたは書込み時にエラーが発生することがある。
【００５７】
この点を考慮して、本実施の形態では、読取り／書込み関連動作において、減圧手段９によって収容空間８が減圧される前に、供給手段４２によって収容空間８に乾燥気体が供給される。こうして収容空間８内の雰囲気が置換されて、収容空間８内に乾燥気体が充満した状態で、減圧手段９によって収容空間８が減圧される。これによって、収容空間８が減圧されたときに、収容空間８内で結露が生じることが防がれ、光ディスク４の信号記録面３に水滴が付着することが防がれる。したがって前述の実施の形態と同様の効果を達成したうえで、さらに光ピックアップ７による信号の読取りまたは書込み時のエラーを防ぐことができる。
【００５８】
本実施の形態の光ディスク装置４１は、排出手段４３を有するけれども、この排出手段４３はなくてもよい。排出手段４３がない場合は、光ディスク４が収容空間８に搬入された後、蓋部材２２が開放位置２２ｂから閉塞位置２２ａへ変位される前に、供給手段４２によって収容空間８に乾燥気体を供給する。このようにして収容空間８内の雰囲気を置換しても、前述のように、光ピックアップ７による信号の読取りまたは書込み時のエラーを防ぐことができる。
【００５９】
図９は、本発明の実施のさらに他の形態の光ディスク装置におけるケーシング６２の搬送用の開口部６３を示す断面図である。本実施の形態の光ディスク装置は、前述の実施の各形態の光ディスク装置１，４１に類似するので、同様の部分には同一の符号を付して説明を省略する。本実施の形態では、搬送用の開口部６３は、支持部材１２に関してモータ１１とは反対側にある。
【００６０】
搬送用の開口部６３は、蓋部材６４によって塞がれる。蓋部材６４は、搬送用の開口部６３を塞ぐ閉塞位置６４ａと、搬送用の開口部６３を開放する開放位置６４ｂとにわたって変位可能である。蓋部材６４が閉塞位置６４ａにあるとき、蓋部材６４と搬送用の開口部６３との間にはシール部材６５が介在し、これによって蓋部材６４と搬送用の開口部６３との間から気体が漏れることを防ぐことができる。蓋部材６４が開放位置６４ｂにあるとき、光ディスク４を、収容空間８へ搬入することができ、かつ、収容空間８から搬出することができる。このような本実施の形態でも、前述の実施の各形態と同様の効果を達成することができる。
【００６１】
前述の実施の各形態では、減圧手段９は、ベローズ２５と伸縮駆動部２６とを含んで構成されるけれども、減圧手段９はこれに限定されるものではない。たとえば、減圧手段９は、伸縮駆動部２６がなく、操作者の手でベローズ２５を伸縮させるような構成であってもよい。
【００６２】
減圧手段９は、ケーシング２，６２の収容空間８に連通する内腔空間が形成され、この内腔空間の体積が可変である容積可変部を含んで構成されればよい。このような減圧手段９では、内腔空間の体積を大きくすると、収容空間８の体積と内腔空間の体積との和が大きくなる。したがって収容空間８が密閉された状態で、内腔空間の体積を大きくすることによって、収容空間８が減圧される。このような容積可変部が用いられることによって、真空ポンプが不要であり、安価かつ小形の光ディスク装置を実現することができる。
【００６３】
また減圧手段９は、真空ポンプによって実現されてもよい。真空ポンプが用いられる場合、光ディスク装置が高価になりかつ大形化してしまうけれども、それ以外は、前述の実施の各形態と同様の効果を達成することができる。
【００６４】
またモータ１１は、ケーシング２，６２外に配置されてもよい。モータ１１がケーシング２，６２外に配置される場合、ケーシング２，６２の収容空間８の体積を小さくすることができる。収容空間８の体積を小さくすることによって、所定の減圧状態を実現するために必要な、ベローズ２５の内腔空間３１の体積変化量を小さくすることができる。したがって収容空間８を容易に減圧することができる。
【００６５】
図１０は、本発明の実施のさらに他の形態の光ディスク装置７１の構成を、この光ディスク装置７１のケーシング２の一部を切欠いて簡略化して示す正面図である。本実施の形態の光ディスク装置７１は、図１〜図７に示す光ディスク装置１に類似するので、同様の部分には同一の符号を付して説明を省略する。光ディスク装置７１は、回転手段６に代えて、光ディスク４を保持する保持体７２と、この保持体７２を回転させる保持体回転手段であるモータ７３とを含む。
【００６６】
保持体７２は、光ディスク４を、この光ディスク４の半径方向の内方端部４ａから外方端部４ｂにわたって支持する平坦な支持面７２ａを有する。保持体７２は、前記支持面７２ａに光ディスク４を真空吸着することによって、光ディスク４を保持する。
【００６７】
前記支持面７２ａには、光ディスク４が載置されるシート部材７４が設けられる。このシート部材７４は、可撓性および弾発性を有する。すなわち、シート部材７４は、少なくとも光ディスク４よりも軟質であり、光ディスクの重量または光ディスクが吸着されるときの吸着力によって変形する。したがって、光ディスク４が支持面７２ａに擦られて光ディスク４に傷がつくことを防ぐことができる。
【００６８】
またシート部材７４は、可撓性および弾発性を有し、かつ支持面７２ａに臨む面からその反対側の面にわたって貫通して吸着力を導く複数の吸引孔７４ａ（図１２参照）が形成される。このようなシート部材７４によって、光ディスクの変形が吸収され、光ディスク４の前記吸引孔７４ａに臨む面の全体に吸引力が導かれる。したがって光ディスク４の変形の有無にかかわらず、支持面７２ａに光ディスク４を確実に真空吸着することができる。
【００６９】
モータ７３は、たとえばスピンドルモータによって実現される。モータ７３は、回転軸７６を有し、この回転軸７６が軸線Ｌ１まわりに回転する。モータ７３は、一対の軸受部７７をさらに有し、これらの軸受部７７が前記回転軸７６を軸線Ｌ１まわりに回転可能に支持する。
【００７０】
図１１は、保持体７２の平面図である。図１２は、図１１の切断面線Ｓ１２−Ｓ１２から見た断面図である。保持体７２は、図１０の上方から見た平面形状が円形であり、中心部分に、光ディスク４のセンターホールに嵌合する嵌合部７８を有する。保持体７２の支持面７２ａは、回転軸線Ｌ１に垂直な一平面を成す。
【００７１】
支持面７２ａには、半径方向の内方から外方にわたって、複数の開口７９が形成される。各開口７９には、シート部材７４の複数の吸引孔７４ａがそれぞれ連通する。各開口７９には、図１２の下方に延びる複数の第１吸引通路８０がそれぞれ連通する。各第１吸引通路８０には、半径方向に延びる第２吸引通路８１が連通する。この第２吸引通路８１は、モータ７３の回転軸７６に、回転軸線Ｌ１と同軸に形成される軸孔８２が連通する。
【００７２】
モータ７３の回転軸７６の下端部には、軸孔８２に連通する径孔８３が形成される。回転軸７６の下端部には、回転管継手８４が装着される。この回転管継手８４には、管路８５を介して吸引源８６が接続される。吸引源８６は、真空ポンプによって実現される。吸引源８６は、管路８５、回転管継手８４、回転軸７６の径孔８３および軸孔８２を経て、保持体７２の第２吸引通路８１および第１吸引通路８０に連なり、支持面７２ａ上に載置される光ディスク４が真空吸着される。
【００７３】
本実施の形態では、前記図５に示すステップａ２において、光ディスク４が収容空間８に搬入されて保持体７２の支持面７２ａに載置され、ステップａ３において、吸引源８６による吸引が開始される。またステップａ６において、吸引源８６による吸引が停止される。
【００７４】
光ディスク４の信号記録面３に信号を書込む時には、局所的に高温になる。温度が高くなりすぎると、記録ピットの形状が変形する。また減圧状態では、熱の拡散が遅くなる。これらの点を考慮して、本実施の形態では、保持体７２は、放熱性の良い材料を用いて構成されるのが望ましい。
【００７５】
以上のような本実施の形態によれば、保持体７２の支持面７２ａは、光ディスク４を、この光ディスク４の半径方向の内方端部４ａから外方端部４ｂにわたって支持する。このような支持面７２ａに光ディスク４が真空吸着されるので、保持体７２と光ディスク４とが一体化される。したがって回転中の光ディスク４の面振れを防ぐことができる。
【００７６】
このように回転中の光ディスク４の面振れを防ぐことができるので、モータ７３にかかる負荷を小さくすることができる。すなわち、面振れが防がれることによって、光ディスク４を保持する保持体７２に連結されるモータ７３の回転軸７６のぶれが抑制され、前記回転軸７６から、この回転軸７６を支持する一対の軸受部７７に作用する前記軸線Ｌ１に垂直な方向の力が小さくなる。したがって前記一対の軸受部７７の劣化を防ぐことができ、モータ７３の寿命を延ばすことができる。
【００７７】
また回転中の光ディスク４の面振れを防ぐことができるので、光ピックアップ７による信号の読取り精度および信号の書込み精度を向上させることができる。
【００７８】
本実施の形態では、モータ７３の寿命が２０％、向上した。また、信号の読取り精度および信号の書込み精度の向上も図れた。さらに光ディスク４を回転させるときの騒音も押えられ、特に高速回転時の騒音は１５％、低くなった。全体として、光ディスク装置としての信頼性が２０％、向上した。
【００７９】
また本実施の形態では、吸引源８６は、真空ポンプによって実現されるので、収容空間８が減圧されたときでも、保持体７２は、十分な吸着力で光ディスク４を保持することができる。したがって光ディスク４の高速回転時に、遠心力によって光ディスク４が保持体７２から外れてしまうことを防ぐことができる。
【００８０】
本実施の形態の光ディスク装置７１は、ケーシング２を有し、このケーシング２内に、光ディスク４、保持体７２およびモータ７３が配置されるけれども、ケーシング２はなくてもよい。すなわち、前述のような保持体７２が用いられる場合は、光ディスク４が回転される場所が減圧された収容空間８でなくても、図１０〜図１２に示す実施の形態と同様の効果を達成することができる。
【図面の簡単な説明】
【００８１】
【図１】本発明の実施の一形態の光ディスク装置１の構成を、この光ディスク装置１のケーシング２の一部を切欠いて簡略化して示す正面図である。
【図２】ケーシング２に対するモータ１１の設置構造を示す断面図である。
【図３】搬送用の開口部２１を示す断面図である。
【図４】減圧手段９の構成を示す部分断面図である。
【図５】光ディスク装置１の動作を説明するためのフローチャートである。
【図６】光ディスク装置１によって行われる読取り／書込み関連動作を説明するためのフローチャートである。
【図７】回転中の光ディスク４を示す斜視図である。
【図８】本発明の実施の他の形態の光ディスク装置４１の構成を、この光ディスク装置４１のケーシング２の一部を切欠いて簡略化して示す正面図である。
【図９】本発明の実施のさらに他の形態の光ディスク装置におけるケーシング６２の搬送用の開口部６３を示す断面図である。
【図１０】本発明の実施のさらに他の形態の光ディスク装置７１の構成を、この光ディスク装置７１のケーシング２の一部を切欠いて簡略化して示す正面図である。
【図１１】保持体７２の平面図である。
【図１２】図１１の切断面線Ｓ１２−Ｓ１２から見た断面図である。
【符号の説明】
【００８２】
１，４１，７１  光ディスク装置
２，６２  ケーシング
３  信号記録面
６  回転手段
７  光ピックアップ
８  収容空間
９  減圧手段
２５  ベローズ
２６  伸縮駆動部
３１  内腔空間
４２  供給手段
７２  保持体
７２ａ  支持面
７３  モータ
７４  シート部材
８６  吸引源
【図１】
2006107603.tif 000003
【図２】
2006107603.tif 000004
【図３】
2006107603.tif 000005
【図４】
2006107603.tif 000006
【図５】
2006107603.tif 000007
【図６】
2006107603.tif 000008
【図７】
2006107603.tif 000009
【図８】
2006107603.tif 000010
【図９】
2006107603.tif 000011
【図１０】
2006107603.tif 000012
【図１１】
2006107603.tif 000013
【図１２】
2006107603.tif 000014